(57)【特許請求の範囲】
【請求項１】
ネットワークを介して接続された記憶装置に記憶されたコンテンツのアドレスが入力される入力手段と、
入力された前記コンテンツのアドレスと、当該コンテンツが記憶された前記記憶装置の識別子とを対応付けて記憶する管理手段と、
前記入力手段に前記コンテンツのアドレスが入力された後に、前記記憶装置から、当該記憶装置の識別子とアドレスとを取得する取得手段と、
前記管理手段が管理する識別子のうち、前記取得手段が取得した識別子と一致する識別子に対応付けられた前記コンテンツのアドレスを、前記取得手段が取得した前記記憶装置のアドレスに基づいて更新する更新手段と
を備える情報処理装置。
【請求項２】
前記管理手段が管理する前記コンテンツのアドレスを指定した送信要求を送信することによりコンテンツを取得するコンテンツ取得手段とを備える、請求項１記載の情報処理装置。
【請求項３】
表示装置と、
前記管理手段がアドレスを管理する前記コンテンツを選択可能とする画像を、前記表示装置に表示させる第１の表示制御手段とを更に備える、請求項１記載の情報処理装置。
【請求項４】
前記画像に対する操作入力を受ける受付手段と、
前記第１のコンテンツ取得手段が取得したコンテンツをデコードするデコード手段と、
デコードした前記コンテンツを前記表示装置に表示させる第２の表示制御手段とを更に備え、
前記第１のコンテンツ取得手段は、前記操作入力により操作を受けた前記画像に対応するコンテンツを取得する、請求項３記載の情報処理装置。
【請求項５】
前記第１の表示制御手段は、前記デコード手段によりデコードされていないコンテンツを選択可能とする前記画像を、前記デコード手段によりデコードされたコンテンツを選択可能とする前記画像よりも優先した配置で、前記表示装置に表示させる、請求項４記載の情報処理装置。
【請求項６】
前記第１の表示制御手段は、前記コンテンツを選択可能とする前記画像とともに、当該コンテンツが前記デコード手段によりデコードされたか否かに関する情報を、前記表示装置に表示させる、請求項４記載の情報処理装置。
【請求項７】
前記第１の表示制御手段は、前記コンテンツを選択可能とする前記画像とともに、当該コンテンツのアドレスが前記入力手段に入力された時間に関する情報を前記表示装置に表示させる、請求項３記載の情報処理装置。
【請求項８】
前記第１の表示制御手段は、前記コンテンツを選択可能とする前記画像を、当該コンテンツのアドレスが前記入力手段に入力された時間に応じた配置で前記表示装置に表示させる、請求項３記載の情報処理装置。
【請求項９】
ネットワークを介して接続された記憶装置に記憶されたコンテンツのアドレスが入力されることと、
前記入力手段に前記コンテンツのアドレスが入力された後に、前記記憶装置から当該記憶装置のアドレスを取得することと、
取得した前記記憶装置のアドレスが、前記入力手段にコンテンツのアドレスが入力された際の当該記憶装置のアドレスと異なる場合、当該取得した前記記憶装置のアドレスと、前記入力されたコンテンツのアドレスとに基づいた、当該コンテンツのアドレスとは異なるアドレスに要求を送信することにより、前記コンテンツを取得することと
を備えるコンテンツ取得方法。
【発明の詳細な説明】
【技術分野】
【０００１】
情報処理装置及びコンテンツ取得方法に関する。
【背景技術】
【０００２】
家庭内のコンピュータやデジタルテレビ、ハードディスクレコーダ等の電子機器をローカルエリアネットワークにより相互に接続し、映像や画像等のコンテンツを共有する技術がある。ここでこれらの電子機器を相互接続して動作させるための仕様として、例えばＵＰｎＰが用いられる。そして、当該ＵＰｎＰのプロトコルを用いることにより、デジタルテレビ等の表示装置は、レコーダ等の記憶装置が記憶するコンテンツのＵＲＩを指定した要求を送信することにより、当該コンテンツを取得することができる。
【先行技術文献】
【特許文献】
【０００３】
【特許文献１】特開２００９−１９９２０７号公報
【発明の概要】
【発明が解決しようとする課題】
【０００４】
しかしながらネットワーク上においては、当該ネットワークに接続された電子機器のＩＰアドレスが変更される場合がある。ここで、例えば記憶装置のＩＰアドレスが変更されると、当該変更に伴い記憶装置が記憶するコンテンツのＵＲＩも変更される。すると、表示装置は記憶装置からコンテンツを取得できない恐れがある。
【０００５】
そこで本発明の実施形態は、コンテンツをより確実に取得することを可能とする情報処理装置及びコンテンツ取得方法の提供を目的とする。
【課題を解決するための手段】
【０００６】
実施形態にかかる情報処理装置は、入力手段と、管理手段と、取得手段と、更新手段とを備える。入力手段には、ネットワークを介して接続された記憶装置に記憶されたコンテンツのアドレスが入力される。管理手段は、入力されたコンテンツのアドレスと、当該コンテンツが記憶された記憶装置の識別子とを対応付けて記憶する。取得手段は、入力手段にコンテンツのアドレスが入力された後に、記憶装置から、当該記憶装置の識別子とアドレスとを取得する。更新手段は、管理手段が管理する識別子のうち、取得手段が取得した識別子と一致する識別子に対応付けられたコンテンツのアドレスを、取得手段が取得した記憶装置のアドレスに基づいて更新する。
【図面の簡単な説明】
【０００７】
【図１】実施形態のテレビジョン装置の利用形態例を示す図。
【図２】実施形態のテレビジョン装置のシステム構成例を示す図。
【図３】実施形態のテレビジョン装置が備えるデータベース例を示す図。
【図４】実施形態のコンピュータが表示する画面例を示す図。
【図５】実施形態のテレビジョン装置が備えるデータベース例を示す図。
【図６】実施形態のテレビジョン装置によるデータベース更新例を示す図。
【図７】実施形態のテレビジョン装置が表示するリスト画面例を示す図。
【図８】実施形態のテレビジョン装置、コンピュータ及びサーバ装置に係る処理シーケンス例を示す図。
【図９】実施形態のテレビジョン装置によるデータベース生成に係る処理フロー例を示す図。
【図１０】実施形態のコンピュータによる、コンテンツＵＲＩ送信に係る処理フロー例を示す図。
【図１１】実施形態のテレビジョン装置によるデータベース生成に係る処理フロー例を示す図。
【図１２】実施形態のテレビジョン装置によるコンテンツ再生に係る処理フロー例を示す図。
【発明を実施するための形態】
【０００８】
以下、図面を参照して、本発明の一実施形態を説明する。
図１は、本実施形態に係る情報処理装置を含むネットワークシステムの構成例を示す図である。ここで本実施形態に係る情報処理装置は、例えば、テレビ装置１００として実現されている。テレビ装置１００は、有線又は無線ＬＡＮ等により構成されるネットワーク２００に接続されており、当該ネットワーク２００には、コンピュータ３００、記憶装置４００等が接続されている。
【０００９】
ここで、テレビ装置１００、サーバ装置３００及びコンピュータ４００は、ネットワーク２００上の各デバイスの機能を制御するためのＵＰｎＰ機能を有するが、当該ＵＰｎＰについては後述する。
【００１０】
テレビ装置１００は、通信部１０１、表示部１０９等を備える。ここで、通信部１０１は、ネットワーク２００を介してコンピュータ４００、サーバ装置３００等との通信を行う。また表示部１０９は画像を表示するディスプレイである。
【００１１】
ここでテレビ装置１００は、コンピュータ４００からコンテンツのＵＲＩを受信し、当該コンテンツのＵＲＩを指定したコンテンツ要求を送信することにより、サーバ装置３００からコンテンツを受信する。そしてテレビ装置１００は、受信したコンテンツをデコード（再生）し、デコードしたコンテンツの映像を表示部１０９に表示することができる。
【００１２】
サーバ装置３００は、通信部３０１、記憶部３０２等を備える記憶装置である。ここで記憶部３０２には、映像、画像及び音声等のコンテンツが記憶され、当該コンテンツの夫々にはＵＲＩが割り当てられている。そしてサーバ装置３００は、テレビ装置１００やコンピュータ４００からＵＲＩを指定したコンテンツ送信要求を受けた場合、当該ＵＲＩに対応するコンテンツを送信する。なおサーバ装置３００は、ネットワーク２００に接続可能な記憶装置であればよく、例えばＰＣやＨＤＤレコーダ等の装置であってもよい。
【００１３】
コンピュータ４００は、通信部４０１、操作受付部４０３、表示部４０６等を備える。ここでコンピュータ４００は、サーバ装置３００から当該サーバ装置３００に記憶されたコンテンツのコンテンツ名、コンテンツ長、ＵＲＩ等の情報を取得できる。更にコンピュータ４００は、テレビ装置１００に対して種々の指示を行うことができ、例えば、テレビ装置１００にコンテンツＵＲＩ設定指示と再生指示とを送信して、テレビ装置に当該コンテンツを取得・再生させる。
【００１４】
ここで、テレビ装置１００、サーバ装置３００及びコンピュータ４００は、ネットワーク２００上の各デバイスの存在を認識して互いの機能を制御するためのＵＰｎＰ機能を有し、さらにＵＰｎＰ機能を利用することにより、例えばＤＬＮＡ（Ｄｉｇｉｔａｌ  Ｌｉｖｉｎｇ  Ｎｅｔｗｏｒｋ  Ａｌｌｉａｎｃｅ）のガイドラインで規定されたホームネットワークデバイスとして機能することができる。ここで、ホームネットワークデバイスは、デジタルメディアサーバ（ＤＭＳ）、デジタルメディアコントローラ（ＤＭＣ）、デジタルメディアレンダラ（ＤＭＲ）、デジタルメディアプレーヤ（ＤＭＰ）等のカテゴリに分類される。
【００１５】
ＤＭＣは、ＤＭＳ及びＤＭＲ等のデバイスを制御するデバイスである。ＤＭＳはＤＭＲからのコンテンツ取得要求（ＨＴＴＰ  ＧＥＴ）を受けて、コンテンツをＤＭＲに提供するデバイスである。なおＤＭＳは、当該ＤＭＳが記憶しているコンテンツのＵＲＩやコンテンツ名等のコンテンツ情報を、ＵＰｎＰのＣＤＳ（Ｃｏｎｔｅｎｔ  Ｄｉｒｅｃｔｏｒｙ  Ｓｅｒｖｉｃｅ）を用いることによりネットワークに公開し、当該コンテンツ情報をＤＭＣが取得できるようにする。
【００１６】
そしてＤＭＣは、ＤＭＳからＣＤＳにより公開されたコンテンツ情報を、例えばＢｒｏｗｓｅアクションによって取得し、コンテンツのＵＲＩを取得することができる。またＤＭＣは取得したコンテンツのＵＲＩを、ＤＭＲが実装するＵＰｎＰのＡＶＴ（Ａｕｄｉｏ／Ｖｉｓｕａｌ  Ｔｒａｎｓｐｏｒｔ  ｓｅｒｖｉｃｅ）のＳｅｔＡＶＴｒａｎｓｐｏｒｔＵＲＩアクションにより、再生対象のコンテンツのＵＲＩをＤＭＲに設定させる。
【００１７】
そしてＤＭＲは、再生対象のコンテンツのＵＲＩをＤＭＣにより設定された後、続いてＤＭＣからＡＶＴのうちＰｌａｙアクションを受信すると、当該ＵＲＩからコンテンツを取得・再生する。またＤＭＰは、ＤＭＳに記憶されているコンテンツを検索して再生する機能を有する。
【００１８】
なお本実施形態において、テレビ装置１００は、ＤＭＰ及びＤＭＲの何れのデバイスとしても機能しうる。またサーバ装置３００はＤＭＳとして、コンピュータ４００はＤＭＣ、ＤＭＰ、ＤＭＳ及びＤＭＲの何れのデバイスとして機能しうる。
【００１９】
ところで、従来のネットワークシステムにおいては、ＤＭＳに記憶された画像データをＤＭＲに再生する場合、ＤＭＣはＤＭＲにコンテンツ取得及び再生を指示し、ＤＭＲは当該指示に従って直ちにコンテンツを取得・再生する。
【００２０】
一方、本実施形態のネットワークシステムにおいては、再生対象のコンテンツのＵＲＩがＤＭＣからのアクションによりＤＭＲに設定される場合、即ちテレビ装置１００がコンピュータ４００からコンテンツのＵＲＩを受信した場合、当該テレビ装置１００は当該コンテンツのＵＲＩを記憶することができる。
【００２１】
そして本実施形態に係るテレビ装置１００は、記憶したコンテンツＵＲＩに基づいて、当該ＵＲＩの場所に記憶されたコンテンツをユーザの任意のタイミングで受信・再生することができるものであるが、詳細については図２乃至図１２を参照して説明する。
【００２２】
なお図１には、ＤＭＳとして機能するデバイスとしてサーバ装置３００及びコンピュータ４００が示されているが、当該装置以外のＤＭＳがネットワーク２００に接続されていても良く、また、ＤＭＲについてもテレビ装置１００及びコンピュータ４００以外の装置がネットワーク２００に接続されても良い。
【００２３】
次に図２を参照して、本実施形態に係るテレビ装置１００及びコンピュータ４００について説明する。図２は、テレビ装置１００及びコンピュータ４００のシステム構成例を示す図である。
【００２４】
まずテレビ装置１００のシステム構成例を説明する。
テレビ装置１００は、通信部１０１、ＵＰｎＰ制御部１０２、データベース処理部１０３、記憶部１０４、操作受付部１０５、ＧＵＩ処理部１０６、デコード部１０７、表示処理部１０８、表示部１０９、等を備える。
【００２５】
通信部１０１は、ネットワーク２００を介してサーバ装置３００及びコンピュータ４００と通信する機能を有する。
ＵＰｎＰ制御部１０２は、ネットワーク２００を介してＵＰｎＰのコマンド等を送受信する機能を有し、例えばデータベース処理部１０３及びＧＵＩ処理部１０６からの通知に応じたコマンドや、当該ＵＰｎＰ制御部１０２に設定された設定に応じたコマンドを、ネットワーク２００を介して接続されたサーバ装置３００及びコンピュータ４００に対して通信部１０１から送信する。
【００２６】
ＵＰｎＰ制御部１０２は、ネットワーク２００に対してＭ−ｓｅａｒｃｈを送信することにより、当該ネットワーク２００に接続されたＵＰｎＰ機器を検索する。そしてＵＰｎＰ制御部１０２は、当該Ｍ−Ｓｅａｒｃｈに対してサーバ装置３００等のサーバ装置から、当該サーバ装置のＩＰアドレスを含む応答を受けた場合、当該応答を受けたサーバに対してサーバ情報の要求を送信する。なお当該サーバ情報の要求に対する、サーバ情報を含む応答は、通信部１０１に受信されてデータベース処理部１０３に入力される。
【００２７】
ここでサーバ情報とは、例えばＵＰｎＰで定義されるｄｅｖｉｃｅ  ｄｅｓｃｒｉｐｔｉｏｎと呼ばれるＸＭＬ（Ｅｘｔｅｎｓｉｂｌｅ  ｍａｒｋｕｐ  ｌａｎｇｕａｇｅ）ファイル等に格納された、サーバ装置のデバイスに関する情報である。そして当該サーバ情報には、例えばサーバ装置毎の固有の識別子であるＵＤＮ（Ｕｎｉｑｕｅ  Ｄｅｖｉｃｅ  Ｎａｍｅ）、サーバ装置のデバイス名、サーバ装置に対してユーザが任意で設定するＦｒｉｅｎｄｌｙ  Ｎａｍｅ等が含まれる。
【００２８】
またＵＰｎＰ制御部１０２は、サーバ装置３００等からｓｓｄｐ：ａｌｉｖｅと呼ばれる通知を受けると、当該通知を送信した機器に対してサーバ情報の要求を送信する。なおｓｓｄｐ：ａｌｉｖｅとは、ＵＰｎＰ機器がネットワークに接続された場合に、当該接続の旨をネットワーク上の他機器に通知するものである。
【００２９】
更にＵＰｎＰ制御部１０２は、データベース処理部１０３から指示を受けた場合に当該サーバ情報の要求を送信してもよい。
またＵＰｎＰ制御部１０２は、コンピュータ４００から、コンテンツＵＲＩ設定指示や当該コンテンツの再生指示等を受信する。なお当該コンテンツＵＲＩ設定指示は、テレビ装置１００にコンテンツのＵＲＩを設定させるための指示であり、例えばＵＰｎＰのＡＶＴのＳｅｔＡＶＴｒａｎｓｐｏｒｔＵＲＩとしてコンピュータから送信される。そして当該ＵＲＩ設定指示は、コンテンツのＵＲＩ及び当該コンテンツのコンテンツ名等を含んでいる。
【００３０】
ここでＵＰｎＰ制御部１０２は、コンテンツＵＲＩ設定指示を受信すると、当該コンテンツＵＲＩ設定指示をデータベース処理部１０３に出力する。またＵＰｎＰ制御部１０２は、コンテンツＵＲＩ設定指示を受けた後に再生指示を受信すると、当該コンテンツＵＲＩ設定指示に含まれるＵＲＩに対して、コンテンツ要求であるＨＴＴＰ  ＧＥＴを送信する。
【００３１】
さらにＵＰｎＰ制御部１０２は、ＧＵＩ処理部１０６からコンテンツのＵＲＩが入力されると、当該ＵＲＩを指定したＨＴＴＰ  ＧＥＴを送信する。
データベース処理部１０３は、通信部１０１から入力されるサーバ情報やＵＰｎＰ制御部１０２から入力されるコンテンツＵＲＩ設定指示に含まれる情報に基づいて、データベースを生成／更新し、当該データベースを記憶部１０４に記憶させる機能を有する。なおここでデータベース処理部１０３は、通信部１０１から入力されるサーバ情報に基づいてサーバ情報データベース１０４１を、ＵＰｎＰ制御部１０２から入力されるコンテンツＵＲＩ設定指示に含まれる情報に基づいてコンテンツ情報データベース１０４２を生成するが、これらデータベースについては図３及び図４を参照して後述する。
【００３２】
またデータベース処理部１０３は、ＧＵＩ処理部１０６からの指示に応じ、記憶部１０４に記憶させて管理しているコンテンツ情報データベース１０４２を当該ＧＵＩ処理部１０６に出力する機能や、ＧＵＩ処理部１０６からの再生コンテンツ通知に応じてコンテンツ情報データベース１０４２を更新し、更新したコンテンツ情報データベース１０４２をＧＵＩ処理部１０６に出力する。
【００３３】
操作受付部１０５は、リモートコントローラ（非図示）等の入力装置からの操作入力を受け付ける。なおここで操作受付部１０５は、例えばメニュー画面を表示する為の操作入力、画面を遷移させる操作入力、及びコンテンツを選択・決定する操作入力等を受け付け、これら操作入力に応じた指示をＧＵＩ処理部１０６に出力する
【００３４】
ＧＵＩ処理部１０６は、テレビ装置１００が受信したＵＲＩ設定指示に対応するコンテンツのうち再生するコンテンツを選択するための再生コンテンツ選択画面や、当該選択画面に遷移する為のメニュー画面を生成する機能、及びこれら画面に対する操作入力を処理する機能を有する。
【００３５】
ここでＧＵＩ処理部１０６は、操作受付部１０５からメニュー画面を表示する指示が入力されると、メニュー画面を生成して表示処理部１０８に出力する。またＧＵＩ処理部１０６は、当該メニュー画面をテレビ装置１００が表示している場合に、操作受付部１０５から再生コンテンツ選択画面に遷移する指示が入力されると、当該選択画面を生成・出力する。
【００３６】
なお再生コンテンツ選択画面を生成する際にＧＵＩ処理部１０６は、データベース処理部１０３にコンテンツ情報データベース１０４２を要求する。そしてデータベース処理部１０３から入力された当該データベースに基づいて再生コンテンツ選択画面を生成する。なおＧＵＩ処理部１０６が生成するメニュー画面や再生コンテンツ選択画面の詳細は図７を参照して後述する。
【００３７】
またＧＵＩ処理部１０６は、テレビ装置１００が再生コンテンツ選択画面を表示している場合に、操作受付部１０５から、当該画面にて表示されているコンテンツを選択・決定する指示が入力されると、当該選択・決定されたコンテンツに関する再生コンテンツ通知をデータベース処理部１０３に出力する。
【００３８】
そしてＧＵＩ処理部１０６は、当該再生コンテンツ通知に応じて更新されたコンテンツ情報データベース１０４２がデータベース処理部１０３から入力されると、当該データベースと、操作受付部１０５からのコンテンツ選択・決定指示とに基づいたＵＲＩに対して、ＵＰｎＰ制御部１０２を介してコンテンツ要求を送信する。
【００３９】
デコード部１０７は、通信部１０１から入力されるコンテンツをデコードして表示処理部１０８や音声処理部（非図示）に出力する機能を有する。ここでデコード部１０７には、ＵＰｎＰ制御部１０２が送信したコンテンツ要求（ＨＴＴＰ  ＧＥＴ）に応じてサーバ装置３００等から送信されたコンテンツが入力される。そしてデコード部１０７は、当該入力されたコンテンツをデコード（再生）して、表示処理部１０８に出力する。なおここでデコード部１０７は、デコードしたコンテンツの画像（映像）データを表示処理部１０８に出力し、デコードしたコンテンツの音声データを音声処理部（非図示）に出力する。
【００４０】
表示処理部１０８は、ＧＵＩ処理部１０６及びデコード部１０７から入力される画像データを映像信号に変換して表示部１０９に出力する。そして表示部１０９は、表示処理部１０８から入力された映像信号に基づく画像を表示する。
【００４１】
次にコンピュータ４００の構成例について説明する。
コンピュータ４００は、通信部４０１、ＵＰｎＰ制御部４０２、操作受付部４０３、ＧＵＩ処理部４０４、表示処理部４０５、表示部４０６等を備える。
通信部４０１は、ネットワーク２００を介してテレビ装置１００及びサーバ装置３００等と通信する機能を有する。
ＵＰｎＰ制御部４０２は、ネットワーク２００を介してＵＰｎＰのコマンドを送受信する機能を有する。ここでＵＰｎＰ制御部４０２は、例えばＧＵＩ処理部１０６からの通知に応じて、コンテンツＵＲＩ設定指示やコンテンツ再生指示をテレビ装置１００に対して通信部１０１から送信する。
【００４２】
なお、コンテンツＵＲＩ設定指示は再生対象のコンテンツのＵＲＩをテレビ装置１００に設定させるための指示であり、例えばＵＰｎＰのＡＶＴのＳｅｔＡＶＴｒａｎｓｐｏｒｔＵＲＩコマンドとして送信される。そしてコンテンツＵＲＩ設定指示は、コンテンツのＵＲＩやコンテンツ名等の情報を含む。
【００４３】
ＧＵＩ処理部４０４は、各種画面を生成・出力するとともに、当該画面に対する操作入力を処理する機能を有する。より具体的には、ＧＵＩ処理部４０４は、コンピュータ４００が他の装置にコンテンツのＵＲＩを送信する際に、何れのコンテンツのＵＲＩを送信するかを選択・決定するためのＵＲＩ設定コンテンツ選択画面を生成する。
【００４４】
そしてＧＵＩ処理部４０４は、当該選択画面に対する操作入力を操作受付部４０３から入力すると、当該入力に従った処理を実行する。なお、ＵＲＩ設定コンテンツ選択画面及び当該選択画面に対する操作入力に係る処理については、図４を参照して後述する。
【００４５】
表示処理部４０５は、ＧＵＩ処理部４０４から入力されるＵＲＩ設定コンテンツ選択画面等の画面のデータを映像信号に変換して表示部４０６に出力する。そして表示部４０６は表示処理部４０５から入力された映像信号に基づいた映像を表示する。
【００４６】
次に、図３を参照して、データベース処理部１０３が生成・管理するサーバ情報データベース１０４１を説明する。図３は、サーバ情報データベース１０４１のデータ構成例を示す図である。
【００４７】
データベース処理部１０３は、サーバ装置３００等の、ネットワーク２００に接続されたサーバ装置から、当該サーバ装置のＩＰアドレス及びサーバ情報を受信すると、当該ＩＰアドレスと、当該サーバ情報に含まれるＵＤＮ、デバイス名、Ｆｒｉｅｎｄｌｙ  Ｎａｍｅ等とに基づいて、サーバ情報データベース１０４１を生成する。
【００４８】
当該データベースには、デバイス毎に、Ｄｅｖｉｃｅ  Ｎａｍｅ１１と、Ｆｒｉｅｎｄｌｙ  Ｎａｍｅ１２と、ＩＰ  Ａｄｒｅｓｓ１３と、ＵＤＮ１４とが対応付けて格納される。ここで、Ｄｅｖｉｃｅ  Ｎａｍｅ１１は、テレビ装置１００が夫々のデバイス毎に一意に設定するデバイス名（識別子）であり、例えばサーバ情報データベース１０４１において夫々のデバイスを識別するインデックス等であってもよい。Ｆｒｉｅｎｄｌｙ  Ｎａｍｅ１２は例えばユーザにより任意に設定されるデバイス名であり、またＩＰ  Ａｄｒｅｓｓ１３は、ネットワーク２００におけるデバイスのアドレスである。ＵＤＮ１４は、夫々のデバイスが有する、当該デバイスを示す固有の識別子である。
【００４９】
ところで、ネットワーク２００に接続されたデバイスのＩＰアドレスは、例えば当該デバイスの電源ＯＮ・ＯＦＦ等により変更される場合がある。また、Ｆｒｉｅｎｄｌｙ  Ｎａｍｅもユーザにより任意に変更可能である。このためテレビ装置１００は、ネットワーク２００に接続されたサーバ装置に対して、例えば一定期間ごとにサーバ情報要求を送信することによりサーバ情報を受信し、当該サーバ情報を受信する度にサーバ情報データベース１０４１を更新する。
【００５０】
次に図４を参照して、コンピュータ４００が表示するＵＲＩ設定コンテンツ選択画面の画面構成例を説明する。
図４に示す画面例においては、コンテンツ選択欄２１、コンテンツ２２、カーソル２３、サーバ装置選択タブ２４、再生装置選択欄２５、再生ボタン２６、再生待追加ボタン２７等が表示される。
【００５１】
コンテンツ選択欄２１は、選択するコンテンツの情報を表示するための欄であり、当該選択欄２１には、コンテンツ２２及びカーソル２３等が表示される。ここでコンテンツ２２は、コンテンツの情報を示す画像等であり、例えばコンテンツのタイトルや当該コンテンツのサムネイルなどが表示される。そしてカーソル２３は、コンテンツを選択するための画像である。
【００５２】
サーバ装置選択タブ２４は、いずれのサーバ装置に記憶・公開されているコンテンツをコンテンツ選択欄２１に表示するかを選択・決定するための画像である。なお、複数のサーバ装置に記憶されているコンテンツをコンテンツ選択欄２１に表示してもよい。
【００５３】
再生装置選択欄２５は、コンテンツ選択欄２１にて選択されたコンテンツを再生するための装置を選択する為の欄であり、当該装置選択欄には、ネットワーク２００を介して接続された、コンテンツを再生可能な装置が表示される。
【００５４】
再生ボタン２６は、コンテンツ選択欄２１にて選択されたコンテンツを、再生装置選択欄２５で選択された装置に再生させるためのボタンである。ここでコンピュータ４００は、当該再生ボタンに対する操作入力を受け付けると、コンテンツ選択欄２１にて選択されたコンテンツのＵＲＩ及びコンテンツ名等を含むコンテンツＵＲＩ設定指示を、装置選択欄２４で選択された装置に送信するとともに、再生指示を送信する。即ちコンピュータ４００は、再生装置選択欄２５で選択された装置に対して、例えばＵＰｎＰのＡＶＴのＳｅｔＡＶＴｒａｎｓｐｏｔｒＵＲＩ及びＰｌａｙを送信することにより、当該選択された装置に、選択されたコンテンツの再生を指示する。
【００５５】
再生待追加ボタン２７は、コンテンツ選択欄２１にて選択されたコンテンツのＵＲＩやコンテンツ名を含むコンテンツＵＲＩ設定指示を、再生装置選択欄２５で選択された装置に送信するためのボタンである。ここでコンピュータ４００は、当該再生待追加ボタン２７に対する操作入力を受けると、コンテンツ選択欄２１にて選択されたコンテンツのＵＲＩやコンテンツ名を、例えばＵＰｎＰのＡＶＴのＳｅｔＡＶＴｒａｎｓｐｏｒｔＵＲＩ等を用いることにより、再生装置選択欄２５で選択された装置に送信する。
【００５６】
次に図５を参照して、データベース処理部１０３が生成・管理するコンテンツ情報データベース１０４２を説明する。図５は、コンテンツ情報データベース１０４２のデータ構成例を示す図である。
【００５７】
当該データベースには、コンテンツ毎に、ＩＤ３１と、タイトル３２と、ＵＲＩ３３と、ＵＲＩ受信時刻３４と、サーバＵＤＮ３５、再生／未再生情報３６と、再生位置３７とが対応付けて格納される。
【００５８】
ここでＩＤ３１はコンテンツの識別子であり、当該識別子は、例えばテレビ装置１００がコンピュータ４００からコンテンツＵＲＩ設定指示を受信した場合、即ちコンテンツのＵＲＩを受信した場合に当該テレビ装置１００により付与される。また、タイトル３２はコンテンツのタイトル、ＵＲＩ３３は、コンテンツが記憶・公開されているアドレスを示す情報であり、当該タイトル及びアドレスは、コンピュータ４００から送信されるコンテンツＵＲＩ設定指示に含まれている。ＵＲＩ受信時刻３４は、テレビ装置１００がＵＲＩを受信した日時である。
【００５９】
また、サーバＵＤＮ３５は、コンテンツが記憶されたサーバ装置のＵＤＮである。ここで当該サーバＵＤＮ３５は、サーバ情報データベース１０４１に基づいて格納される。サーバ情報データベース１０４１には、サーバ装置のＩＰアドレスと、当該サーバ装置のＵＤＮとが対応付けられている。一方、例えば３８に示すコンテンツのＵＲＩには、当該コンテンツが記憶されたサーバ装置のＩＰアドレス３９が含まれている。
【００６０】
このためデータベース処理部４０３は、受信したコンテンツＵＲＩ設定指示に含まれるコンテンツＵＲＩに含まれるサーバ装置のＩＰアドレスと、サーバ装置のＩＰアドレス及びＵＤＮを対応付けて格納するサーバ情報データベース１０４１とに基づいて、当該コンテンツのＵＲＩと当該コンテンツが記憶されたサーバ装置のＵＤＮとを対応付けることができる。
【００６１】
再生／未再生情報３６は、テレビ装置１００がコンテンツを再生したか否かについての情報である。なおデータベース処理部４０３は、テレビ装置１００がコンテンツの再生を完了したとき、即ちコンテンツのコンテンツ長の終端まで再生した場合に、当該コンテンツを「再生済」として再生／未再生情報３６に格納しても良いし、あるいはコンテンツ長の途中まで再生した場合に「再生済」としても良い。
【００６２】
再生位置３７は、コンテンツのコンテンツ長、及びテレビ装置１００がコンテンツを再生した場合に当該コンテンツのコンテンツ長の何れの位置まで再生したかを示す情報である。ここで、コンテンツ長は、必ずしも時間長でなくともよく、例えばバイト長であってもよい。なお再生位置については、例えばデータベース処理部１０３が、デコード部１０７がデコードしている位置についての情報をデコード部１０７から取得する。あるいは再生位置は、コンピュータ４００からテレビ装置１００に対してＵＰｎＰのＡＶＴのＳｅｅｋ要求を行った後に、データベース処理部１０３がＵＰｎＰ制御部１０２から取得することができる。
【００６３】
次に図６を参照して、データベース処理部１０３による、コンテンツ情報データベース１０４２のコンテンツＵＲＩを更新する処理の例について説明する。
図６において、４０及び５０は、ある時間におけるサーバ情報データベース１０４１及びコンテンツ情報データベース１０４２のデータ構成例を示している。なお図６に示すデータベースにおいては、図３及び図５で説明したデータ構成のうちのいくつかを省略して示している。
【００６４】
ここで４０に示すサーバ情報データベース１０４１には、ＩＰアドレス４１とＵＤＮ４２とが対応付けて格納されている。そして当該サーバ情報データベース１０４１は、データベース処理部１０３が、サーバ装置３００等から例えば一定期間ごとに取得するサーバ情報に基づいて更新される。
【００６５】
５０に示すコンテンツ情報データベース１０４２には、コンテンツのＵＲＩ５１と、当該コンテンツが記憶されたサーバ装置のＵＤＮ５３とが対応付けて格納されている。ここでコンテンツのＵＲＩ５１には、当該コンテンツが記憶されたサーバ装置のＩＰアドレス５２が含まれている。しかし当該ＩＰアドレス５２は、サーバ装置の最新のＩＰアドレスと一致しているとは限らない。
【００６６】
そこでデータベース処理部１０３は、当該ＩＰアドレス５２に対応付けられているＵＤＮ５３と一致するＵＤＮをサーバ情報データベース１０４１から検索する。そしてサーバ情報データベース１０４１に、ＵＤＮ５３と一致するＵＤＮが格納されている場合、データベース処理部１０３は、サーバ情報データベース１０４１において当該ＵＤＮに対応付けられているＩＰアドレスと、ＩＰアドレス５２とが一致するか否かを判別する。
【００６７】
つまり図６においては、ＵＤＮ５３とＵＤＮ４２とが一致しているため、データベース処理部１０３は、ＵＤＮ４２に対応付けられているＩＰアドレス４１と、ＩＰアドレス５２とが一致するかを判別する。そしてこれらのＩＰアドレスが一致しない場合、データベース処理部１０３は、サーバ情報データベース１０４１に格納されているＩＰアドレス４１に基づいて、コンテンツ情報データベース１０４２に格納されているＩＰアドレス５２及びＵＲＩ５１を更新する。
【００６８】
そして６０に更新後のコンテンツ情報データベース１０４２を示す。当該データベースには、サーバ情報データベース１０４１に格納されているサーバ装置のＩＰアドレスを用いて更新されたＵＲＩ６１が格納されている。また当該ＵＲＩ６１は、コンテンツが記憶されているサーバ装置のＩＰアドレス６２を含んでいる。
【００６９】
次に図７を参照して、ＧＵＩ生成部１０６が生成する画面例を説明する。図７（Ａ）は、メニュー画面例を示す図である。当該メニュー画面では、選択可能なボタンとして、動画再生ボタン７１、写真再生ボタン７２、音楽再生ボタン７３、再生予約リストボタン７４等が表示され、また当該ボタンを選択・決定するためのカーソル７５が表示される。
【００７０】
ここで、テレビ装置１００は、操作受付部１０５が受け付けた操作入力に応じてカーソル７５を移動させ、ボタンメニュー７１乃至７４のうちの何れかのボタンを選択・決定することができる。なお、ここで例えば動画再生ボタン７１が選択・決定された場合、ＧＵＩ生成部１０６は、ネットワーク２００に接続されたサーバ装置に記憶された動画コンテンツの一覧を表示する。同様に、写真再生ボタン７２が選択・決定された場合は静止画コンテンツの一覧が、音楽再生ボタン７３が選択・決定された場合は音声コンテンツの一覧が表示される。
【００７１】
一方図７（Ａ）にて再生待リストボタン７４が選択された場合、画面は図７（Ｂ）に示す画面に遷移する。図７（Ｂ）は、図３及び５にて説明したサーバ情報データベース１０４１及びコンテンツ情報データベース１０４２に基づいてテレビ装置１００が生成する、再生待コンテンツを表示する為の再生コンテンツ選択画面例を示す図である。
【００７２】
図７（Ｂ）に示す画面には、コンテンツ選択ボタン８１乃至８５、カーソル８６が表示され、またコンテンツ選択ボタン８１乃至８５の夫々には、コンテンツのタイトルＥ１、ＵＲＩ受信日時Ｅ２、再生／未再生情報Ｅ３、再生位置Ｅ４、配信サーバ名Ｅ５が表示される。
【００７３】
ここでコンテンツ選択ボタン８１乃至８５は、再生するコンテンツを選択するためのボタンであり、当該ボタン８１乃至８５は、例えば当該ボタンに対応するコンテンツのＵＲＩをテレビ装置１００が受信した日時順に表示する。ここでテレビ装置１００は、ＵＲＩの受信時刻が新しい順又は古い順に当該ボタン８１乃至８５を配置する。
【００７４】
なお当該再生コンテンツ選択画面においてテレビ装置１００は、ボタン８１乃至８５のうち、未再生のコンテンツに対応するボタンを優先的に表示している。即ちテレビ装置１００は、未再生のコンテンツに対応するボタン８１乃至８４をＵＲＩの受信時刻順に表示して、これらボタン８１乃至８４の次の順となる位置に再生済みのコンテンツに対応するボタン８５を表示している。
【００７５】
またテレビ装置１００は、例えばボタン８５に示すように、ボタンに対応するコンテンツがテレビ装置１００において再生済みである場合に、当該再生済みのコンテンツに対応するボタンの色を、未再生のコンテンツに対応するボタンと異なる色とすることができる。さらにテレビ装置１００は、当該再生コンテンツ選択画面において、再生済みのコンテンツに対応するボタンを表示しなくともよい。
【００７６】
カーソル８６はコンテンツ選択ボタン８１乃至８５を選択・決定し、当該ボタンに対応するコンテンツをテレビ装置１００に再生させるための画像である。テレビ装置１００は、操作受付部１０５が受け付けた操作入力に基づいてカーソル８６を移動させ、ボタン８１乃至８５のうちの何れかのボタンを選択・決定することができる
【００７７】
また、タイトル９１はコンテンツのタイトルであり、ＵＲＩ受信日時９２はコンテンツのＵＲＩをテレビ装置１００が受信した日時を示す情報、再生／未再生情報９３はコンテンツを再生したか否かについての情報、再生位置９４はコンテンツのコンテンツ長のうち何れの位置まで再生したかを示す情報、配信サーバ名９５はコンテンツが記憶されたサーバ装置名のＦｒｉｅｎｄｌｙ  Ｎａｍｅ等を示す情報である。なおコンテンツ選択ボタンには、当該コンテンツのサムネイルや、当該コンテンツのファイルの種類等を表示してもよい。
【００７８】
次に図８を参照して、本実施形態に係るテレビ装置１００、及びサーバ装置３００、コンピュータ４００の処理シーケンス例を説明する。
当該シーケンスでは、まずテレビ装置１００がサーバ情報データベース生成処理を行う（Ｓ５０１）。このサーバ情報データベース生成処理では、テレビ装置１００はサーバ装置３００から当該サーバ装置３００のアドレスやＵＤＮ等を含むサーバ情報を取得し、当該サーバ情報に基づいてサーバ情報データベース１０４１を生成する。
【００７９】
次にコンピュータ４００は、図４で説明したＵＲＩ設定コンテンツ選択画面を表示し、当該画面に対する操作入力を受け付けるためのＵＲＩ設定コンテンツ選択処理を行う（Ｓ５０２）。なお当該ＵＲＩ設定コンテンツの選択処理については図１０を参照して後述する。
【００８０】
続いてテレビ装置１００は、コンピュータ４００からコンテンツのＵＲＩが入力されると、当該ＵＲＩに基づいてコンテンツ情報データベース１０４２の生成処理を行う（Ｓ５０３）。なお当該処理の詳細は図１１を参照して後述する。
【００８１】
またテレビ装置１００は、Ｓ５０３にてコンピュータ４００からコンテンツのＵＲＩを受信した後にも、定期的にサーバ情報データベース１０４１の生成（更新）処理を実行し、コンテンツを記憶するサーバ装置の最新のＩＰアドレスを取得する（Ｓ５０４）。
【００８２】
そしてテレビ装置１００は、再生コンテンツ選択画面の表示要求及び当該画面に対するコンテンツ選択操作を受けた場合に、コンテンツの再生処理を実行する（Ｓ５０５）。なお当該処理の詳細は図１２を参照して後述する。
【００８３】
次に図９を参照して、テレビ装置１００が実行するサーバ情報データベース１０４１の生成処理を説明する。図９は当該処理の処理フロー例を示す図である。
当該フローでは、まずテレビ装置１００は、例えばＵＰｎＰのＭ−Ｓｅａｒｃｈ等の探索信号をネットワーク２００全体に送信することにより、ネットワーク２００に接続された装置を探索する（Ｓ６０１）。そしてテレビ装置１００は、ネットワーク２００に接続されたサーバ装置３００等のサーバ装置から、当該サーバ装置のＩＰアドレスを含む、探索信号に対する応答を受信する（Ｓ６０２）。そしてテレビ装置１００は、当該応答を送信した装置に対して、例えばＨＴＴＰ  ＧＥＴを送信することにより当該装置のサーバ情報を取得する（Ｓ６０３）。
【００８４】
次にテレビ装置１００は、当該取得したサーバ情報とサーバ装置のＩＰアドレスに基づいてサーバ情報データベース１０４１を生成する（Ｓ６０４）。なおテレビ装置１００は、Ｓ６０４にて既存のサーバ情報データベースがあった場合、Ｓ６０３にて取得したサーバ情報に基づいて既存のデータベースを更新する。また当該フローは、一定期間ごとに実行することができ、例えば１０秒毎に実行してサーバ情報データベース１０４１を生成／更新することが可能である。
【００８５】
次に図１０を参照して、コンピュータ４００によるＵＲＩ設定コンテンツ選択処理について説明する。図１０は、当該処理の処理フロー例を示す図である。
当該処理フローにおいてコンピュータ４００は、まず図４で説明したＵＲＩ設定コンテンツ選択画面を表示し（Ｓ７０１）、当該画面に対する、コンテンツ及び再生装置の選択操作を受け付ける（Ｓ７０２）。そしてコンピュータ４００は、図４で示した再生ボタンに対する操作入力を受けた場合（Ｓ７０３の「再生」）、Ｓ７０２で選択された装置に対して、同じくＳ７０２で選択されたコンテンツのＵＲＩと再生指示とを送信する（Ｓ７０４、Ｓ７０５）。
【００８６】
一方、Ｓ７０３において再生待追加ボタンに対する操作入力を受けた場合、コンピュータ４００は、Ｓ７０２で選択された装置に対して、同じくＳ７０２で選択されたコンテンツのＵＲＩを送信し（Ｓ７０６）、コンピュータ４００によるＵＲＩ設定コンテンツ選択処理は完了する。
【００８７】
次に図１１を参照して、テレビ装置１００によるコンテンツ情報データベース１０４２の生成処理例を説明する。図１１は、コンテンツ情報データベース生成処理の処理フロー例を示す図である。
【００８８】
まずテレビ装置１００は、ネットワーク２００を介して接続された装置からコンテンツＵＲＩ設定指示を受信すると（Ｓ８０１）、サーバ情報データベース１０４１を参照し（Ｓ８０２）、受信した設定指示に含まれるＵＲＩに対応するＩＰアドレスが割り当てられているサーバを検索する（Ｓ８０３）。なおここでＵＲＩに対応するＩＰアドレスとは、当該ＵＲＩに含まれるサーバのＩＰアドレスと一致するＩＰアドレスを指す。
【００８９】
そしてテレビ装置１００は、受信した設定指示に含まれるＵＲＩに対応するＩＰアドレスのサーバのＵＤＮに対して当該ＵＲＩを対応付け、コンテンツ情報データベース１０４２を生成する（Ｓ８０４）。ここでテレビ装置１００は、ネットワーク２００を介して接続された装置からコンテンツの再生指示を受信すると（Ｓ８０５のＹｅｓ）、Ｓ８０１にて受信した設定指示に含まれるＵＲＩに対してＨＴＴＰ  ＧＥＴ等のコンテンツ要求を送信する。
【００９０】
そしてテレビ装置１００は、当該コンテンツ要求に対してサーバ装置から送信されたコンテンツを受信すると、当該受信したコンテンツを再生（デコード）する（Ｓ８０６）。またテレビ装置１００は、コンテンツを再生すると、当該再生したコンテンツを再生済みとしてコンテンツ情報データベース１０４２を更新し（Ｓ８０７）、コンテンツ情報データベース生成処理は完了する。また、Ｓ８０５において再生指示を受信しなかった場合にも（Ｓ８０５のＮｏ）、コンテンツ情報データベース生成処理は完了する。
【００９１】
次に図１２を参照して、テレビ装置１００による、再生待コンテンツの再生処理例を説明する。
当該処理においてテレビ装置１００は、再生コンテンツ選択画面の表示要求を受けると（Ｓ９０１）、コンテンツ情報データベース１０４１を参照して（Ｓ９０２）、再生コンテンツ選択画面を表示する（Ｓ９０３）。そしてテレビ装置１００は、当該画面に対する、再生コンテンツの選択を受け付けると（Ｓ９０４）、コンテンツ情報データベース１０４２を参照して、当該選択されたコンテンツが記憶されたサーバ装置のＵＤＮを取得する（Ｓ９０５）。
【００９２】
ここでテレビ装置１００は、サーバ情報データベース１０４１から、Ｓ９０５で取得したＵＤＮに対応付けられているＩＰアドレスを取得する（Ｓ９０６）。そしてテレビ装置１００は、Ｓ９０４で選択されたコンテンツを記憶しているサーバ装置のＩＰアドレスが、コンテンツ情報データベース１０４２に格納されているＩＰアドレスから変更されているか否かを判別する（Ｓ９０７）。
【００９３】
そしてＩＰアドレスが変更されている場合（Ｓ９０７のＹｅｓ）、テレビ装置１００は、変更後のＩＰアドレスを用いてコンテンツ情報データベース１０４２を更新する（Ｓ９０８）。なおＳ９０７において、コンテンツが記憶されたサーバ装置のＩＰアドレスが変更されていない場合（Ｓ９０７のＮｏ）、テレビ装置１００はコンテンツ情報データベース１０４２を更新しなくともよい。
【００９４】
続いてテレビ装置１００は、コンテンツ情報データベース１０４２を参照して、Ｓ９０４にて選択されたコンテンツのＵＲＩに対する要求を送信することにより、当該コンテンツを取得する（Ｓ９０９）。そしてテレビ装置１００は、取得したコンテンツをデコード部１０７でデコード（再生）して表示部１０９に表示させ（Ｓ９１０）、コンテンツ情報データベース１０４２を、当該再生したコンテンツの再生／未再生情報を「再生済み」として更新する（Ｓ９１１）
【００９５】
なお当該フローにおいては、再生コンテンツの選択を受け付けた後、当該選択されたコンテンツのアドレスが変更されているか否かを判別しているが、例えばテレビ装置１００がサーバ情報を取得した場合に、当該サーバ情報に含まれるＵＤＮとＩＰアドレスとに基づいて、コンテンツ情報データベース１０４２が管理するコンテンツのアドレスが変更されているか否かを判別し、当該アドレスを更新してもよい。
【００９６】
以上説明したように、本実施形態によれば、テレビ装置１００は、再生対象のコンテンツのＵＲＩをコンピュータ４００から受信した場合に、当該コンテンツを任意のタイミングで取得・再生することができる。そしてテレビ装置１００は、コンテンツを記憶するサーバ装置から、当該コンテンツをより確実に取得することができる。
【００９７】
なお、本発明は上記実施形態そのままに限定されるものではなく、実施段階ではその要旨を逸脱しない範囲で構成要素を変形して具現化できる。例えば本実施形態においては、コンテンツ情報データベース１０４２にコンテンツのＵＲＩとＵＤＮとを対応付けて格納しているが、コンテンツのＵＲＩに対応付ける識別子はＵＤＮに限るものではなく、サーバ装置から取得可能な、当該サーバ装置を識別可能な識別子であればよい。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００９８】
１００…テレビ装置、１０１…通信部、１０２…ＵＰｎＰ制御部、１０３…データベース処理部、１０４…記憶部、１０４１…サーバ情報データベース、１０４２…コンテンツ情報データベース、１０５…操作受付部、１０６…ＧＵＩ処理部、１０７…デコード部、１０８…表示処理部、１０９…表示部、２００…ネットワーク、３００…サーバ装置、４００…コンピュータ、４０１…通信部、４０２…ＵＰｎＰ制御部、４０３…操作受付部、４０４…ＧＵＩ処理部、４０５…表示処理部、４０６…表示部
【要約】
【課題】コンテンツをより確実に取得することを可能とする情報処理装置及びコンテンツ取得方法の提供。
【解決手段】実施形態にかかる情報処理装置は、ネットワークを介して接続された記憶装置に記憶されたコンテンツのアドレスが入力される入力手段と、入力されたコンテンツのアドレスと、当該コンテンツが記憶された記憶装置の識別子とを対応付けて記憶する管理手段と、入力手段に前記コンテンツのアドレスが入力された後に、記憶装置から、当該記憶装置の識別子とアドレスとを取得する取得手段と、管理手段が管理する識別子のうち、取得手段が取得した識別子と一致する識別子に対応付けられたコンテンツのアドレスを、取得手段が取得した記憶装置のアドレスに基づいて更新する更新手段とを備える。
【選択図】  図２【図１】
0004837122.tif 000002
【図２】
0004837122.tif 000003
【図３】
0004837122.tif 000004
【図４】
0004837122.tif 000005
【図５】
0004837122.tif 000006
【図６】
0004837122.tif 000007
【図７】
0004837122.tif 000008
【図８】
0004837122.tif 000009
【図９】
0004837122.tif 000010
【図１０】
0004837122.tif 000011
【図１１】
0004837122.tif 000012
【図１２】
0004837122.tif 000013